(57)【特許請求の範囲】
【請求項１】
上端および下端が円形をなし、上端開口部から内部に液体を注入するカップ型容器であって、周壁部を周方向に沿って等角度間隔で順次第１領域、第２領域、第３領域および第４領域に区分したときに、
第１領域の内面の幅方向中央下側には、周壁部の下端近傍から高さ方向中間部に至り周壁部の内面が窪む凹部が上下方向に沿って設けられ、
第１領域の内面の幅方向中央上側には、周壁部の高さ方向中間部から上端近傍に至り周壁部の内面が突出する第１凸部が上下方向に沿って設けられ、
第２領域の内面の幅方向中央上側には、周壁部の高さ方向中間部から上端近傍に至り周壁部の内面が突出する第２凸部が上下方向に沿って設けられ、
第３領域の内面の幅方向中央には、周壁部の下端近傍から上端近傍に至り周壁部の内面が突出する第３凸部が上下方向に沿って設けられ、
第４領域の内面の幅方向中央上側には、周壁部の高さ方向中間部から上端近傍に至り周壁部の内面が突出する第４凸部が上下方向に沿って設けられ、
内部に液体を注入すると、注入量が所定量未満のときには、液体の平面形状がハート形となり、注入量が所定量以上になると、液体の平面形状がクローバ形となることを特徴とする、注いだ液体の形状が変化するカップ型容器。
【請求項２】
上端および下端が円形をなし、上端開口部から内部に液体を注入するカップ型容器であって、周壁部を周方向に沿って等角度間隔で順次第１領域、第２領域、第３領域および第４領域に区分したときに、
第１領域の内面の幅方向中央下側には、周壁部の下端近傍から高さ方向中間部に至り周壁部の内面が突出する第１凸部が上下方向に沿って設けられ、
第１領域の内面の幅方向中央上側には、周壁部の高さ方向中間部から上端近傍に至り周壁部の内面が窪む凹部が上下方向に沿って設けられ、
第２領域の内面の幅方向中央下側には、周壁部の下端近傍から高さ方向中間部に至り周壁部の内面が突出する第２凸部が上下方向に沿って設けられ、
第３領域の内面の幅方向中央には、周壁部の下端近傍から上端近傍に至り周壁部の内面が突出する第３凸部が上下方向に沿って設けられ、
第４領域の内面の幅方向中央下側には、周壁部の下端近傍から高さ方向中間部に至り周壁部の内面が突出する第４凸部が上下方向に沿って設けられ、
内部に液体を注入すると、注入量が所定量未満のときには、液体の平面形状がクローバ形となり、注入量が所定量以上になると、液体の平面形状がハート形となることを特徴とする、注いだ液体の形状が変化するカップ型容器。
【請求項３】
前記カップ型容器は陶磁器であり、前記第１〜第４凸部では、周壁部の内面が突出し、外面が窪んでおり、前記凹部では、周壁部の内面が窪み、外面が突出していることを特徴とする、請求項１または２に記載の注いだ液体の形状が変化するカップ型容器。
【請求項４】
周壁部の内面が突出し、外面が窪む前記第１〜第４凸部および周壁部の内面が窪み、外面が突出する前記凹部において、周壁部の厚みが均一であることを特徴とする、請求項３に記載の注いだ液体の形状が変化するカップ型容器。
【発明の詳細な説明】
【技術分野】
【０００１】
本発明は、ティーカップ、コーヒーカップ等の内部に液体を注入するカップ型容器に関し、さらに詳述すると、注いだ液体の形状が変化するカップ型容器に関する。
【背景技術】
【０００２】
従来、飲み物、水などの液状物をハート形に形成する器として、特許文献１のものが提案されている。特許文献１の器は、部が丸形で開放されている焼成により製造された器であって、前記上部の丸形に次いで、外側が凹み内側に突出した凸条を均一の厚さで上下方向に設けるとともに、前記凸条に１８０度で対向する側にあって内側が凹み外側に突出した凹条を上下方向に設け、凸条及び凹条以外は円弧状にして横断面形状がハート形に形成されていることを特徴とする液状物を注いでいくことにより器の中にハート形が現出する器である（請求項１）。
【０００３】
特許文献１の器は、液状物を注いでいくと、器の中にハート形が現出するため、見る人に興味を起こさせ、特に、ハート形が関係する結婚披露宴、バレンタインデーなどに利用することにより、食事を引き立てるとともに、その場の演出効果を上げることができるという効果を奏する（段落００１７）。
【先行技術文献】
【特許文献】
【０００４】
【特許文献１】特許第３７１８４２１号公報
【発明の概要】
【発明が解決しようとする課題】
【０００５】
特許文献１の器は、液状物をハート形に形成するものであるが、それ以外の形状に形成できるものではなかった。
【０００６】
本発明は、上記事情に鑑みてなされたもので、注いだ液体の形状を変化させることができるカップ型容器を提供することを目的とする。
【課題を解決するための手段】
【０００７】
本発明は、前記目的を達成するため、下記第１発明および第２発明のカップ型容器を提供する。
【０００８】
（第１発明）
上端および下端が円形をなし、上端開口部から内部に液体を注入するカップ型容器であって、周壁部を周方向に沿って等角度間隔で順次第１領域、第２領域、第３領域および第４領域に区分したときに、
第１領域の内面の幅方向中央下側には、周壁部の下端近傍から高さ方向中間部に至り周壁部の内面が突出する第１凸部が上下方向に沿って設けられ、
第１領域の内面の幅方向中央上側には、周壁部の高さ方向中間部から上端近傍に至り周壁部の内面が窪む凹部が上下方向に沿って設けられ、
第２領域の内面の幅方向中央下側には、周壁部の下端近傍から高さ方向中間部に至り周壁部の内面が突出する第２凸部が上下方向に沿って設けられ、
第３領域の内面の幅方向中央には、周壁部の下端近傍から上端近傍に至り周壁部の内面が突出する第３凸部が上下方向に沿って設けられ、
第４領域の内面の幅方向中央下側には、周壁部の下端近傍から高さ方向中間部に至り周壁部の内面が突出する第４凸部が上下方向に沿って設けられ、
内部に液体を注入すると、注入量が所定量未満のときには、液体の平面形状がクローバ形となり、注入量が所定量以上になると、液体の平面形状がハート形となることを特徴とする、注いだ液体の形状が変化するカップ型容器。
【０００９】
（第２発明）
上端および下端が円形をなし、上端開口部から内部に液体を注入するカップ型容器であって、周壁部を周方向に沿って等角度間隔で順次第１領域、第２領域、第３領域および第４領域に区分したときに、
第１領域の内面の幅方向中央下側には、周壁部の下端近傍から高さ方向中間部に至り周壁部の内面が突出する第１凸部が上下方向に沿って設けられ、
第１領域の内面の幅方向中央上側には、周壁部の高さ方向中間部から上端近傍に至り周壁部の内面が窪む凹部が上下方向に沿って設けられ、
第２領域の内面の幅方向中央下側には、周壁部の下端近傍から高さ方向中間部に至り周壁部の内面が突出する第２凸部が上下方向に沿って設けられ、
第３領域の内面の幅方向中央には、周壁部の下端近傍から上端近傍に至り周壁部の内面が突出する第３凸部が上下方向に沿って設けられ、
第４領域の内面の幅方向中央下側には、周壁部の下端近傍から高さ方向中間部に至り周壁部の内面が突出する第４凸部が上下方向に沿って設けられ、
内部に液体を注入すると、注入量が所定量未満のときには、液体の平面形状がクローバ形となり、注入量が所定量以上になると、液体の平面形状がハート形となることを特徴とする、注いだ液体の形状が変化するカップ型容器。
【００１０】
第１発明および第２発明のカップ型容器は、上述した構成により、内部に液体を注いでいくと、その液体の平面形状が、ハート形からクローバ形に、あるいは、クローバ形からハート形に変化する。
【００１１】
本発明に係るカップ型容器の材質に限定はなく、例えば、陶磁器、金属製容器、プラスチック製容器などとすることができるが、意匠性の点で陶磁器であることが好ましい。この場合、上記第１〜第４凸部では、周壁部の内面が突出し、外面が窪んでおり、上記凹部では、周壁部の内面が窪み、外面が突出していること、特に、第１〜第４凸部および凹部において、周壁部の厚みが均一であることが、焼成工程における周壁部の厚みの違いによる割れの発生を防ぐ点で好ましい。
【００１２】
本発明に係るカップ型容器は、例えば、ティーカップ、コーヒーカップ、デミタスカップ、マグカップ、スープカップ、デザートカップ、タンブラー、グラス、ゼリー用カップ等に形成することができるが、これらに限定されるものではない。
【発明の効果】
【００１３】
本発明に係るカップ型容器は、注いだ液体の平面形状を、ハート形からクローバ形に、あるいは、クローバ形からハート形に変化させることができ、意匠性に優れている。
【図面の簡単な説明】
【００１４】
【図１】本発明の一実施形態に係るカップ型容器を示す平面図である。
【図２】同カップ型容器を示す正面図である。
【図３】同カップ型容器を示す背面図である。
【図４】同カップ型容器を示す左右側面図である。
【図５】同カップ型容器を示す図２Ａ−Ａ断面図である。
【図６】同カップ型容器を示す図２Ｂ−Ｂ断面図である。
【発明を実施するための形態】
【００１５】
以下、本発明につき図面を参照して詳しく説明する。図１〜図６は第１発明の一実施形態に係るカップ型容器を示すもので、図１は平面図、図２は正面図、図３は背面図、図４は左右側面図、図５は図２Ａ−Ａ断面図、図６は図２Ｂ−Ｂ断面図である。本例のカップ型容器は、磁器（具体的には、有田焼）からなるコーヒーカップである。なお、取っ手は図示を省略しているが、後述する第３領域の内面の幅方向中央に接合されている。
【００１６】
本例のコーヒーカップ１０は、周壁部１２を周方向に沿って等角度間隔で順次第１領域１４、第２領域１６、第３領域１８および第４領域２０に区分したときに、各領域が下記の構成を有している。
（１）第１領域１４の内面の幅方向中央下側に、周壁部１２の下端近傍から高さ方向中間部に至り周壁部１２の内面が窪む凹部２２が上下方向に沿って設けられている。また、凹部２２と同位置において、周壁部１２の外面に突出部２４が形成されており、凹部２２では、周壁部１２の厚さが均一である。
（２）第１領域１４の内面の幅方向中央上側に、周壁部１２の高さ方向中間部から上端近傍に至り周壁部１２の内面が突出する第１凸部２６が上下方向に沿って設けられている。また、第１凸部２６と同位置において、周壁部１２の外面に窪み２８が形成されており、第１凸部２６では、周壁部１２の厚さが均一である。
（３）第２領域１６の内面の幅方向中央上側に、周壁部１２の高さ方向中間部から上端近傍に至り周壁部１２の内面が突出する第２凸部３０が上下方向に沿って設けられている。また、第２凸部３０と同位置において、周壁部１２の外面に窪み３２が形成されており、第２凸部３０では、周壁部１２の厚さが均一である。
（４）第３領域１８の内面の幅方向中央に、周壁部１２の下端近傍から上端近傍に至り周壁部１２の内面が突出する第３凸部３４が上下方向に沿って設けられている。また、第３凸部３４と同位置において、周壁部１２の外面に窪み３６が形成されており、第３凸部３４では、周壁部１２の厚さが均一である。
（５）第４領域２０の内面の幅方向中央上側に、周壁部１２の高さ方向中間部から上端近傍に至り周壁部１２の内面が突出する第４凸部３８が上下方向に沿って設けられている。また、第４凸部３８と同位置において、周壁部１２の外面に窪み４０が形成されており、第４凸部３８では、周壁部１２の厚さが均一である。
【００１７】
本例のコーヒーカップ１０において、周壁部１２の上端および下端は円形であり、周壁部１２の厚みは全体的に均一である。また、図中４２は、コーヒーカップ１０の底面に形成された装飾用のハート形窪みを示す。
【００１８】
上述のように、本例のコーヒーカップ１０は、周壁部１２の下側では、第１領域１４の凹部２２と、第３領域１８の第３凸部３４とが、角度間隔１８０度で対向し、周壁部１２の内面のその他の部分は円弧状をなしている。そのため、本例のコーヒーカップ１０にコーヒーを注いでいくと、周壁部１２の下側において、コーヒーの平面形状がハート形となる（図５参照）。
【００１９】
また、本例のコーヒーカップ１０は、周壁部１２の上側では、第１領域１４の第１凸部２６、第２領域１６の第２凸部３０、第３領域１８の第３凸部３４および第４領域２０の第４凸部３８が、等角度間隔（９０度）で配列され、周壁部１２の内面のその他の部分は円弧状をなしている。そのため、注いだコーヒーの平面形状は、周壁部１２の上側において、クローバ形に変形する（図６参照）。
【００２０】
本例のコーヒーカップ１０は、下記の作用効果を奏する。
（ア）注いだコーヒー（あるいは他の飲み物）の平面形状が、ハート形からクローバ形に変化し、意匠性に優れている。
（イ）周壁部の下側に互いに対向する１つの凸部と１つの凹部を形成し、周壁部の上側に互いに対向する２対の凸部を形成することにより製造できるので、陶土の成形が比較的容易である。特に、第３凸部は周壁部の下側および上側の形状形成に使用するので、陶土の形を作りやすい。
（ウ）各凸部および凹部において、周壁部の厚さが均一であるため、焼成工程における周壁部の厚みの違いによる割れの発生が良好に防止される。
【００２１】
第２発明の実施形態は、図示しないが、前述した第１発明の実施形態と同様に、周壁部を周方向に沿って等角度間隔で順次第１〜第４領域に区分したときに、第１領域の内面の幅方向中央下側に第１凸部、第１領域の幅方向中央上側に凹部、第２領域の内面の幅方向中央下側に第２凸部、第３領域の内面の幅方向中央上側・下側にわたって第３凸部、第４領域の内面の幅方向中央下側に第４凸部を設け、注いだコーヒー（あるいは他の飲み物）の平面形状が、クローバ形からハート形に変化するものである。
【符号の説明】
【００２２】
１０  コーヒーカップ
１２  周壁部
１４  第１領域
１６  第２領域
１８  第３領域
２０  第４領域
２２  凹部
２４  突出部
２６  第１凸部
２８  窪み
３０  第２凸部
３２  窪み
３４  第３凸部
３６  窪み
３８  第４凸部
４０  窪み
【図１】
0005824741.tif 000002
【図２】
0005824741.tif 000003
【図３】
0005824741.tif 000004
【図４】
0005824741.tif 000005
【図５】
0005824741.tif 000006
【図６】
0005824741.tif 000007